(57)【要約】      （修正有）【課題】不使用時には帽子などのマーカー保持具に容易に取り付けることができると共に使用時にはグリーン上に目立たせることができ、グリーン上に配置したとき他のプレーヤに違和感などを抱かせてしまうことがないゴルフボールマーカーを提供する。【解決手段】平面が円形状又は多角形状に形成されており、その中央に貫通穴が形成されており、厚さが約１．２ｍｍ以下に形成されている平板状の下部マーカーであって、前記貫通穴内に平面が円形状又は多角形状の磁石が挿入及び固定されている下部マーカーと、磁性体材料により、前記下部マーカーと同じ形状及び大きさの平面を有するように形成されており、厚さが約１ｍｍ以下に形成されている平板状の上部マーカーであって、上面に所定の装飾が施されている上部マーカーと、から成る２ピース一体型ゴルフボールマーカーである。【選択図】図１
0003155157.tif 000002
【実用新案登録請求の範囲】
【請求項１】
平面が円形状又は多角形状に形成されており、その中央に貫通穴が形成されており、厚さが約１．２ｍｍ以下に形成されている平板状の下部マーカーであって、前記貫通穴内に、平面が円形状又は多角形状の磁石が挿入及び固定されている下部マーカーと、
磁性体材料により、前記下部マーカーと同じ形状及び大きさの平面を有するように形成されており、厚さが約１ｍｍ以下に形成されている平板状の上部マーカーであって、上面に所定の装飾が施されている上部マーカーと、を含み、
不使用時には前記上部マーカーの下面を前記下部マーカーの磁石の上面に磁気吸着させることにより前記上部マーカーの下面が前記下部マーカーの上面に重なって全体が一体に見える状態にし、使用時には前記状態か又は前記上部マーカーの外周側の端面を前記下部マーカーの磁石の上面に磁気吸着させることにより前記上部マーカーを前記下部マーカーの上面の上に直立させた状態で使用するようにした、ことを特徴とする、２ピース一体型ゴルフボールマーカー。
【請求項２】
その平面が円形状又は多角形状に形成されており、その中央に貫通穴が形成されており、厚さが約１．２ｍｍ以下に形成されている平板状の下部マーカーであって、前記貫通穴内に、平面が円形状又は多角形状の磁石がその上下両面が露出された状態で挿入及び固定されている下部マーカーと、
磁性体材料により、前記下部マーカーと同じ形状及び大きさの平面を有するように形成されており、厚さが約１ｍｍ以下に形成されている平板状の上部マーカーであって、上面に所定の装飾が施され、裏面及び外周側の端面は磁性体材料が露出されている上部マーカーと、を含み、
不使用時には前記上部マーカーの下面を前記下部マーカーの磁石の上面に磁気吸着させることにより前記上部マーカーの下面が前記下部マーカーの上面に重なって全体が一体に見える状態にし、使用時には前記状態か又は前記上部マーカーの外周側の端面を前記下部マーカーの磁石の上面に磁気吸着させることにより前記上部マーカーを前記下部マーカーの上面の上に直立させた状態で使用するようにした、ことを特徴とする、２ピース一体型ゴルフボールマーカー。
【考案の詳細な説明】
【技術分野】
【０００１】
本考案は、ゴルフプレーにおいて、グリーン上のボールの位置を確認するための使用されるゴルフボールマーカーに関する。
【背景技術】
【０００２】
従来より、グリーン上のボールの位置を確認するためのゴルフボールマーカーが使用されている。このゴルフボールマーカーは、例えば、内部に磁石が埋設された円板状のもので、不使用時には、プレーヤーが装着している帽子の鍔、手袋、ベルトなどに装着されているマーカー保持具に磁力で吸着（着磁）されることにより取り付けられている。また、使用時には、プレーヤーが前記マーカー保持具から取り外してゴルフボールの位置に置くようにしている。
【先行技術文献】
【特許文献】
【０００３】
【特許文献１】実用新案登録第３１１１２４３号公報
【考案の概要】
【考案が解決しようとする課題】
【０００４】
ところで、従来の特許文献１に示すようなゴルフボールマーカーを使用するときは、単に円板状のものがグリーン上に置かれるだけなので、通常のプレーにおいては不便を感じないとしても例えばグリーンが急斜面である時やロングパット時においては見え難く位置の確認が困難になってしまう、それが目立たないため他のプレーヤーが知らずにラインを踏んでしまうなどの不都合が生じていた。他方、目立たせるために複数の部材を組み合わせて複雑な形態にしたゴルフボールマーカーを使用する場合は、それをグリーン上に配置したとき他のプレーヤーに違和感を抱かせてしまうことがあるという不都合があった。
【０００５】
本考案はこのような従来技術の問題点に着目してなされたものであって、不使用時には帽子などのマーカー保持具に容易に取り付けることができると共に使用時にはグリーン上で目立たせることができ、グリーン上に配置したとき他のプレーヤに違和感などを抱かせてしまうことがないゴルフボールマーカーを提供することを目的とする。
【課題を解決するための手段】
【０００６】
前述のような課題を解決するための本考案によるゴルフボールマーカーは、平面が円形状又は多角形状に形成されており、その中央に貫通穴が形成されており、厚さが約１．２ｍｍ以下に形成されている平板状の下部マーカーであって、前記貫通穴内に、平面が円形状又は多角形状の磁石が挿入及び固定されている下部マーカーと、磁性体材料により、前記下部マーカーと同じ形状及び大きさの平面を有するように形成されており、厚さが約１ｍｍ以下に形成されている平板状の上部マーカーであって、上面に所定の装飾が施されている上部マーカーと、を含み、不使用時には前記上部マーカーの下面を前記下部マーカーの磁石の上面側に磁気吸着させることにより前記上部マーカーの下面が前記下部マーカーの上面に重なって全体が一体に見える状態にし、使用時には前記状態か又は前記上部マーカーの側部（外周側）の端面を前記下部マーカーの磁石の上面に磁気吸着させることにより前記上部マーカーを前記下部マーカーの上面の上に直立させた状態で使用するようにした、ことを特徴とするものである。
【０００７】
また、本考案によるゴルフボールマーカーは、平面が円形状又は多角形状に形成されており、その中央に貫通穴が形成されており、厚さが約１．２ｍｍ以下に形成されている平板状の下部マーカーであって、前記貫通穴内に、平面が円形状又は多角形状の磁石がその上下両面が露出された状態で挿入及び固定されている下部マーカーと、磁性体材料により、前記下部マーカーと同じ形状及び大きさの平面を有するように形成されており、厚さが約１ｍｍ以下に形成されている平板状の上部マーカーであって、上面に所定の装飾が施され、裏面及び外周側の端面は磁性体材料が露出されている上部マーカーと、を含み、不使用時には前記上部マーカーの下面を前記下部マーカーの磁石の上面に磁気吸着させることにより前記上部マーカーの下面が前記下部マーカーの上面に重なって全体が一体に見える状態にし、使用時には前記状態か又は前記上部マーカーの側部（外周側）の端面を前記下部マーカーの磁石の上面に磁気吸着させることにより前記上部マーカーを前記下部マーカーの上面の上に直立させた状態で使用するようにした、ことを特徴とするものである。
【考案の効果】
【０００８】
前述のように、本考案においては、不使用時には前記上部マーカーの下面を前記下部マーカーの磁石の上面に磁気吸着させることにより前記上部マーカーの下面が前記下部マーカーの上面に重なって全体が一体に見える状態にし、使用時には前記状態か又は前記上部マーカーの端面を前記下部マーカーの磁石の上面に磁気吸着させることにより前記上部マーカーを前記下部マーカーの上面の上に直立させた状態で使用するようにしている。したがって、本考案では、不使用時には帽子などのマーカー保持具に容易に取り付けたりそれから容易に取り外したりすることができると共に、使用時にはグリーン上で前記上部マーカーを前記下部マーカーの上面の上に直立させることによりグリーン上で目立たせることもできるようになる。よって、本考案によれば、従来のゴルフボールマーカーを使用する場合において生じていたグリーンが急斜面である時やロングパット時においては見え難く位置の確認が困難になってしまうとか目立ち難いため他のプレーヤーが知らずにラインを踏んでしまうなどの不都合を有効に防止することができ、さらに、ゴルフボールマーカーの存在の確認が容易になるのでパットラインの確認が容易になりプレーのスピードアップやマナーアップなどにも貢献できるようになる。
【０００９】
また、本考案においては、上部マーカーの端面を下部マーカーの磁石の上に磁力で吸引させるという「比較的弱い力」だけで上部マーカーを下部マーカーの上に直立させているので、強風が吹いたときは前記磁力による吸引の力（比較的弱い力）が容易に破られて上部マーカーが下部マーカーの上に倒れるようになるので、上部マーカーが強風であおられて下部マーカーを含むゴルフボールマーカー全体の位置が強風で移動してしまうという不都合が回避されるようになる。
【００１０】
さらに、本考案においては、厚さが約１．２ｍｍ以下に形成された薄い平板状の下部マーカーと、前記下部マーカーと同じ形状及び大きさの平面を有し且つ厚さが約１ｍｍ以下に形成された薄い平板状の上部マーカーとによりゴルフボールマーカーを構成しているので、前記下部マーカーの上に前記上部マーカーを重ねた状態で使用するときは、他のプレーヤーからは、あたかも両者が一体化されたように見えて「一個の薄い平板状のゴルフボールマーカー」だけがあるように視認されるので、他のプレーヤーに違和感（従来の複数の部材を組み合わせた複雑な形態のゴルフボールマーカーを使用する場合に他のプレーヤーに感じさせていた違和感）などを抱かせることが防止される。
【図面の簡単な説明】
【００１１】
【図１】本考案の実施例１によるゴルフボールマーカーを説明するための図で、（ａ）は下部マーカー及び上部マーカーの各中央断面図、（ｂ）は下部マーカー及び上部マーカーをそれぞれ上方から見た平面図、（ｃ）は下部マーカー及び上部マーカーの各斜視図である。
【図２】（ａ）は本実施例１において下部マーカーの上面の上に上部マーカーの下面を重ねた第１の例の状態を示す中央断面図、（ｂ）は本実施例１において下部マーカーの上面の上に上部マーカーの下面を重ねた第２の例の状態を示す中央断面図、（ｃ）は（ａ）又は（ｂ）の状態を示す斜視図である。
【図３】下部マーカーの磁石の上に上部マーカーの端面を磁力により吸着させることにより下部マーカーの上に上部マーカーを直立させた状態を示す斜視図である。
【考案を実施するための形態】
【００１２】
本考案を実施するための最良の形態は、例えば以下の実施例１について述べるような形態である。
【実施例１】
【００１３】
図１は本考案の実施例１によるゴルフボールマーカーを説明するための図で、（ａ）は下部マーカー及び上部マーカーの各中央断面図、（ｂ）は下部マーカー及び上部マーカーをそれぞれ上方から見た平面図、（ｃ）は下部マーカー及び上部マーカーの各斜視図である。
【００１４】
図１において、１は、平面が円形状に形成されており、その中央部分に平面が円形状の貫通穴が形成されており、且つ厚さが例えば１．２ｍｍ又はそれ以下の薄さに形成されている平板状の下部マーカーである。この下部マーカー１は例えばステンレス板により形成されているが、アルミニウム板やプラスチック板などの非磁性体材料により形成されていてもよい（アルミニウム板やプラスチック板などによるときは軽量化などのメリットも得られる）。また、前記下部マーカー１の中央の貫通穴１ａには、円柱状の磁石２が挿入されて接着剤などで固定されている（なお前記磁石２はその図示上下両面が露出された状態となっていることが望ましい）。また、前記下部マーカー１の貫通穴１ａの周縁部には、前記磁石２の周縁部に当接してこれを支持するための突部（抜け防止用突起）１ｂが形成されている。
【００１５】
また、図１において、３は、鉄板などの磁性体材料により、前記下部マーカー１と同じ形状及び大きさの平面を有するように形成されており、且つ厚さが１ｍｍ又はそれ以下の薄さに形成されている平板状の上部マーカーである。前記上部マーカー３は、その上面に塗料などで所定の装飾が施されている（前記上部マーカー３の裏面及び外周側の端面は磁性体材料が露出されていることが望ましいが、磁力を通過させやすい素材の塗料などで所定の装飾が施されていてもよい）。
【００１６】
次に本実施例１のゴルフボールマーカーの使用方法について説明する。まず、本実施例１のゴルフボールマーカーを使用しないときは、前記上部マーカー３の下面を前記下部マーカー１の磁石２の上面に磁気吸着させることにより、前記上部マーカー３の下面が前記下部マーカー１の上面に重なって両者が一体に見えるようにする（図２（ａ）（ｂ）及び（ｃ）に示す状態）。そして、この状態で、例えば帽子やベルトなどに取り付けられたマーカー保持具に磁気吸着などの方法で付着させておく。なお、図２（ａ）では、本実施例１において下部マーカーの上面の上に上部マーカーの下面を重ねた第１の例として、突部（抜け防止用突起）１ｂが上部マーカー３側に配置されている状態を示している。他方、図２（ｂ）では、本実施例１において下部マーカーの上面の上に上部マーカーの下面を重ねた第２の例として、突部（抜け防止用突起）１ｂが上部マーカー３とは反対の側に配置されている状態を示している。
【００１７】
次に、本実施例１のゴルフボールマーカーを使用するときは、前記図２（ｃ）に示すように両者が一体化された（少なくとも一体化されているように見える）状態のままグリーン上に配置してもよいが、距離が離れているなどの事情でそれを目立たせたい場合は、図３に示すように、前記下部マーカー１の磁石２の上に、前記上部マーカー３の外周側の端面３ａを磁気により吸着させることにより、前記上部マーカー３の平面（上面及び下面）を前記下部マーカー１の上面に直立させるようにする。
【００１８】
このように前記上部マーカー３を前記下部マーカー１の上に直立させるようにしたときは、ゴルフボールマーカーを目立たせることができるので、従来のゴルフボールマーカーを使用する場合において生じていたグリーンが急斜面である時やロングパット時において見え難く位置の確認が困難になってしまうとかそれが目立ち難いため他のプレーヤーが知らずにラインを踏んでしまうなどの不都合を有効に防止することができ、さらにゴルフボールマーカーの存在の確認が容易になるのでパットラインの確認が容易になりプレーのスピードアップやマナーアップなどにも貢献できるようになる。
【００１９】
また、本実施例１では、前記上部マーカー３の端面３ａを前記下部マーカー１の磁石２の上に磁力で吸引させるという「比較的弱い力」だけで、前記上部マーカー３を前記下部マーカー１の上に直立させているため、例えば強風が吹いたときは前記磁力による吸引の力（比較的弱い力）が容易に破られて前記上部マーカー３が前記下部マーカー１の上に倒れるようになるので、前記上部マーカー３が強風であおられて前記下部マーカー１を含むゴルフボールマーカー全体の位置が強風で移動してしまうという不都合を防ぐことができる。
【００２０】
さらに、本実施例１においては、前述のように厚さが例えば１．２ｍｍの薄い平板状の下部マーカー１と、前記下部マーカー１と同じ形状及び大きさの平面を有し且つ厚さが例えば１ｍｍ以下の薄い平板状の上部マーカー３とによりゴルフボールマーカーを構成しているので、前記下部マーカー１の上に前記上部マーカー３を重ねた状態で使用するときは、他のプレーヤーからは両者が一体化されて見えてあたかも「一個の薄い平板状のゴルフボールマーカー」としてのみ視認されるようになるので、他のプレーヤーに違和感（複数の部材により複雑な形態のゴルフボールマーカーを使用するときに他のプレーヤーが抱く違和感）を抱かせることが防止される。
【００２１】
以上、本考案の実施例について説明したが、本考案及び本考案を構成する各構成要件は、それぞれ、前記実施例及び前記実施例を構成する各要素として述べたものに限定されるものではなく、様々な修正及び変更が可能である。例えば、前記実施例１においては、前記下部マーカー１及び前記上部マーカー３はいずれも平面を円形状に形成するようにしているが、本考案においてはこれに限られるものではなく、例えばそれらの平面を６角形状、８角形状などの多角形状に形成するようにしてもよい。また、前記実施例１においては、前記磁石２はその上下両面が露出された状態とされているが、本考案はこれに限られるものでははく、前記磁石２の上面及び下面の双方又は一方を塗料（磁力を通過させやすい素材によるものが望ましい）などで装飾するようにしてもよい。さらに、前記実施例１においては、前記上部マーカー３の上面に所定の装飾を施すだけでその裏面及び外周側の端面は磁性体材料が露出するようにしているが、本考案では前記上部マーカー３の裏面及び外周側の端面も塗料（磁力を通過させやすい素材によるものが望ましい）などで装飾するようにしてもよいことは勿論である。
【符号の説明】
【００２２】
１          下部マーカー
１ａ      貫通穴
２          磁石
３          上部マーカー
３ａ      端面
【図１】
0003155157.tif 000003
【図２】
0003155157.tif 000004
【図３】
0003155157.tif 000005